(57)【要約】【課題】集積包装用の外袋を用いずに結束ラベルで結束する構成において、内容物取り出し口が店頭等において不用意に開封されることを容易に防止することができる軟包体の結束構造を提供する。【解決手段】第一面に内容物取り出し口を有する軟包体１が所定方向に複数重ね合わせられた軟包集合体と、前記複数の軟包体１同士を結束するための結束ラベル２とを備えた軟包体の結束構造であって、複数の軟包体１はその第一面が隣の軟包体１側を向くようにして重ね合わせられている。【選択図】図１
2015063337.tif 000002
【特許請求の範囲】
【請求項１】
第一面に内容物取り出し口を有する軟包体が所定方向に複数重ね合わせられた軟包集合体と、前記複数の軟包体同士を結束するための結束ラベルとを備えた軟包体の結束構造であって、
複数の軟包体はその第一面が隣の軟包体側を向くようにして重ね合わせられていることを特徴とする軟包体の結束構造。
【請求項２】
結束ラベルは、軟包集合体の全周を構成する四面のうち、少なくとも重ね合わせ方向の一端面と重ね合わせ方向と直交する方向に対向した一対の側面とからなる三面にコの字状に連続して貼着されている請求項１記載の軟包体の結束構造。
【請求項３】
軟包体の第一面には内容物取り出し口を覆うように開封ラベルが剥離可能に貼着されている請求項１又は２記載の軟包体の結束構造。
【発明の詳細な説明】
【技術分野】
【０００１】
本発明は、内容物を取り出すための内容物取り出し口を有する複数の軟包体が結束ラベルによって結束された軟包体の結束構造に関する。
【背景技術】
【０００２】
従来、被包装物が包装袋によって包装された軟包体を複数個一括して販売する場合、この軟包体を複数重ね合わせてその全体を外袋で更に覆い包むようにした集積包装形態が採用されている。
【０００３】
しかしながら、個別の包装袋とは別に更に集積包装用の外袋も必要になることから過剰包装という感覚を消費者に持たれることもある。そこで、下記特許文献１のように、外袋に代えて、重ね合わせられた複数の軟包体の重ね合わせの方向に対して直交する方向に対向した一対の側面部分にそれぞれ結束ラベルを貼着し、その結束ラベルによって複数の軟包体を結束一体化するという包装形態も提案されている。
【０００４】
一方、例えばウエットティッシュのように薬剤やアルコール等の液体が含浸された液体含浸物を包装袋で密封包装した軟包体においては、包装袋の上面に内容物取り出し口が形成されると共にその内容物取り出し口を覆うように開封ラベルが剥離可能に貼着されたものがある。例えば、ウエットティッシュ包装体では、開封ラベルを包装袋から剥離することで内容物取り出し口が開口し、その内容物取り出し口から内容物であるウエットティッシュを取り出して使用する。
【０００５】
下記特許文献１においても、上面に開封ラベルが貼着されたウエットティッシュ包装体を上下に二つ積み重ねて、その対向する一対の側面部分にそれぞれ矩形の結束ラベルを貼着して結束した構成が開示されている（下記特許文献１の図１４）。
【０００６】
しかしながら、集積包装用の外袋を使用せずに結束ラベルのみで結束している構成であるため、上下二つのウエットティッシュ包装体のうち上側のウエットティッシュ包装体における開封ラベルが上を向いて露出した状態にあり、例えば、輸送中や陳列作業中等に開封ラベルが他の部材等に引っかかって剥がれる可能性があり、また、店頭等において悪戯によって開封ラベルが剥がされる可能性もある。同様のことは、開封ラベルが貼着されていない内容物取り出し口の場合にも言えることであって、何れにしても店頭等において内容物取り出し口が不用意に開封されるおそれがある。
【先行技術文献】
【特許文献】
【０００７】
【特許文献１】特開２０１２−３０８７４号公報
【発明の概要】
【発明が解決しようとする課題】
【０００８】
それゆえに本発明は上記従来の問題点に鑑みてなされ、集積包装用の外袋を用いずに結束ラベルで結束する構成において、内容物取り出し口が店頭等において不用意に開封されることを容易に防止することができる軟包体の結束構造を提供することを課題とする。
【課題を解決するための手段】
【０００９】
本発明は、上記課題を解決すべくなされたものであって、本発明に係る軟包体の結束構造は、第一面に内容物取り出し口を有する軟包体が所定方向に複数重ね合わせられた軟包集合体と、前記複数の軟包体同士を結束するための結束ラベルとを備えた軟包体の結束構造であって、複数の軟包体はその第一面が隣の軟包体側を向くようにして重ね合わせられていることを特徴とする。
【００１０】
該構成の軟包体の結束構造にあっては、第一面に内容物取り出し口を有する軟包体が所定方向に複数重ね合わせられて軟包集合体を構成しているが、全ての軟包体の第一面は隣の軟包体と重なり合っている。即ち、重ね合わせ方向の両端に位置する軟包体においても、その第一面は外側を向いているのではなく内側を向いた状態にあり、第一面とは反対側の第二面が外側を向いており、該第二面が軟包集合体の重ね合わせ方向の端面となっている。従って、全ての軟包体の内容物取り出し口は隣の軟包体と重なり合っているので外側には露出しない。
【００１１】
特に、結束ラベルは、軟包集合体の全周を構成する四面のうち、少なくとも重ね合わせ方向の一端面と重ね合わせ方向と直交する方向に対向した一対の側面とからなる三面にコの字状に連続して貼着されていることが好ましい。軟包集合体の重ね合わせ方向の一端に位置する軟包体においてもその第一面は内側を向いていて隣の軟包体に重なり合っており、軟包集合体の重ね合わせ方向の一端面は軟包体の第二面により構成されている。仮に、軟包集合体の重ね合わせ方向の一端面が第一面から構成されていてそこに内容物取り出し口が存在している場合において、結束ラベルを重ね合わせ方向の一端面と一対の側面とからなる三面にコの字状に連続して貼着してその結束ラベルによって内容物取り出し口を覆って保護しようとすると、結束ラベルの幅を内容物取り出し口の大きさに合わせて幅広のものとすることが必要で結束ラベルのコストが大幅にアップすることになる。これに対して、本発明においては軟包集合体の重ね合わせ方向の一端面は軟包体の第二面であって内容物取り出し口は存在していないので、結束ラベルを幅広にする必要がなく、コストアップを抑制することができる。しかも、軟包集合体の少なくとも三面に結束ラベルを貼着することにより、軟包集合体の結束状態をしっかりと安定させることができる。
【００１２】
尚、結束ラベルを三面に貼着している場合には、軟包集合体の重ね合わせ方向の一端面上に位置する結束ラベルの部分に、軟包集合体に関する表示部を設けることが好ましい。また、結束ラベルを四面全周に貼着している場合には、軟包集合体の重ね合わせ方向の一端面上に位置する結束ラベルの部分と、軟包集合体の重ね合わせ方向の他端面上に位置する結束ラベルの部分のうち、少なくとも一方の部分に軟包集合体に関する表示部を設けることが好ましい。無論、軟包集合体の側面に位置する結束ラベルの部分に同様の表示部を設けてもよい。
【００１３】
また、軟包体の第一面に内容物取り出し口を覆うように開封ラベルが剥離可能に貼着されている場合には、特に、開封ラベルを隣の軟包体によって容易に保護することができる。
【発明の効果】
【００１４】
以上のように本発明に係る軟包体の結束構造にあっては、軟包体の内容物取り出し口が隣の軟包体と重なり合っていて外側には露出しておらず、特に、重ね合わせ方向の両端に位置する軟包体においてもその内容物取り出し口が内側に隣接している軟包体と重なり合っていて外側には露出していないので、集積包装用の外袋を使用しない簡易包装であっても、内容物取り出し口の不用意な開封を簡単な構成で防止することができる。
【図面の簡単な説明】
【００１５】
【図１】本発明の一実施形態における軟包体の結束構造を示す斜視図。
【図２】同軟包体を上面側から見た斜視図。
【図３】同軟包体を底面側から見た斜視図。
【図４】本発明の他の実施形態における軟包体の結束構造を示す斜視図。
【発明を実施するための形態】
【００１６】
以下、本発明の一実施形態に係る軟包体の結束構造について図１〜図３を参酌しつつ説明する。本実施形態における軟包体の結束構造は、所定方向に重ね合わせられた複数の軟包体１から構成される軟包集合体と、該複数の軟包体１を互いに連結すべく軟包集合体の所定の面に貼着された結束ラベル２とを備えたものである。具体的には、三個の軟包体１が上下に積み重ねられていて結束ラベル２は三個の軟包体１を上下に連結している。尚、図１において結束ラベル２には多数のドットを付して示しており、後述する図４においても同様である。
【００１７】
軟包体１は、各種の被包装物が軟質包装材によって包装されたものであればよく、包装形態や種類、形状等は特には限定されないが、本実施形態ではその一例として、図２及び図３に示すようにウエットティッシュが包装袋によって密封包装されたウエットティッシュ包装体である場合について説明する。
【００１８】
軟包体１の包装形態はピロー包装であるがこれに限らず種々の包装形態であってよい。内容物であるウエットティッシュ（ウエットシート）は略矩形に形成されて多数枚積層されており、従って、ウエットティッシュの積層体は略直方体形状となり、それがピロー包装されて形成された軟包体１もまた略直方体形状となる。従って、軟包体１は略長方形の上面１０とそれと対向した底面１１と、二対の側面１２，１３とを有している。本実施形態において上面１０が第一面であり、底面１１が第二面である。二対の側面１２，１３のうち、一方は略長方形の上面１０及び底面１１の長辺側に位置し他方は短辺側に位置する。図１〜図４において矢印αで示す方向が長辺に沿った方向であり、矢印βで示す方向が短辺に沿った方向である。短辺側の両側面１３にはそれぞれ横シール部１４が形成され、該横シール部１４は側方に突出した状態にある。また、底面１１には、図１及び図３のように、矢印αで示す長辺の方向に沿って背貼り部１５（センターシール部）が全長に亘って形成されている。
【００１９】
軟包体の上面１０には内容物を取り出すための内容物取り出し口１６が形成され、該内容物取り出し口１６を覆うように上面１０には開封ラベル１７が剥離可能に且つ再貼着可能に貼着されている。内容物取り出し口１６は種々の構成であってよく、予め上面の一部を切り欠いて開口している構成であってもよいが、本実施形態においては開封ラベル１７を剥離することによって内容物取り出し口１６が開口する構成である。具体的には、上面１０の略中央部における包装袋に例えば円形状や楕円形状、矩形状、コの字状等の切り込み線が内容物取り出し口１６として形成され、開封ラベル１７を剥離することによって切り込み線で囲まれた内側領域が開封ラベル１７に貼着しつつ包装袋の他の部分から切離して切り込み線の形状に対応した内容物取り出し口１６が開口する構成である。開封ラベル１７は内容物取り出し口１６よりも大きく、従って、開封ラベル１７の周縁部は上面１０即ち内容物取り出し口１６の周囲の部分に剥離可能に貼着されていて、その部分から剥離すると共にその部分に再貼着可能であり、開封ラベル１７を再貼着することで内容物取り出し口１６を閉じることができる。
【００２０】
尚、開封ラベル１７を再貼着することで内容物取り出し口１６を再封する構成の他、開封後に内容物取り出し口１６を密閉可能な開閉蓋を有する密封部材を上面１０に装着する構成であってもよい。この構成では、開封ラベル１７を上面１０から剥離して開封すると、上述したものと同様に開封ラベル１７の剥離動作によって切り込み線で囲まれた内側領域が切離して内容物取り出し口１６が開口するのであるが、開封ラベル１７を剥離した後の内容物取り出し口１６の周囲の部分には開封ラベル１７の粘着層が残存する。その残存した粘着層を利用して内容物取り出し口１６の周囲の部分に開閉蓋を有する密封部材を取り付けるのである。このような開閉蓋を有する密封部材を開封後に装着する構成では、開閉蓋によって確実に内容物取り出し口１６を密閉することができるので、繰り返しの開閉によっても密閉状態を持続することができ、特に、液体としてアルコール等の揮発成分を有する場合において効果が大きい。前者、後者、何れの構成であっても、仮に悪戯によって開封ラベル１７が一旦剥離されたり、保管中や輸送中に開封ラベル１７が他の部材等に引っかかったりして剥離したとすると、上面１０における包装袋の所定部分が他の部分から切離することになるので、商品価値はなくなる。
【００２１】
また、開封ラベル１７の剥離方向も任意であるが、軟包体１の長辺方向（矢印αで示す方向）を剥離方向とすることが好ましく、その剥離方向の一端部には開封起点となる摘み部１７ａを形成しておくことが好ましい。また、開封ラベル１７の形状も任意であって内容物の種類や形態等によって適宜設定されてよいが、例えば、剥離方向に沿って長い形状、例えば略長方形状とすることができる。尚、軟包体１の包装袋の長辺方向（矢印αで示す方向）の全長Ａ（両横シール部１４間の寸法）に対する、長辺方向の開封ラベル１７の全長Ｂの比率（Ｂ／Ａ）は、２０％以上であって、好ましくは２５％以上、より好ましくは３０％以上である。
【００２２】
このような軟包体１が所定方向に縦横整列された状態で重ね合わせられて軟包集合体が構成される。上述したウエットティッシュ包装体のような場合にはその厚さないし高さ（上面１０と底面１１との間の寸法）が最も小さいことから、上下に重ねていくと安定性がよい。重ね合わせる数も任意であるが、三個〜五個とすることが好ましい。本実施形態では上段の軟包体１ａ、中段の軟包体１ｂ、下段の軟包体１ｃと、軟包体１が上下に三個積み重ねられて軟包集合体が構成されている。
【００２３】
通常、軟包体１はその上面１０が上を向くようにして重ねられるのであるが、上段の軟包体１ａについては上面１０が逆に下を向くようにして重ねられている。即ち、下段の軟包体１ｃはその上面１０が上を向いた状態にあり、中段の軟包体１ｂはその上面１０が上を向いた状態としてもよいし、また、逆に下を向いた状態としてもよいが、上段の軟包体１ａについては通常とは逆に上面１０が下を向いた裏向きの状態で重ねられており、従って、上段の軟包体１ａはその底面１１が上を向き、上面１０が中段の軟包体１ｂの上面１０あるいは底面１１と重なり合った状態にある。このように三つの軟包体１の全てにおいて、その上面１０は隣の軟包体１と対峙して重なり合った状態にあり、従って、各軟包体１の開封ラベル１７もまた隣の軟包体１と対峙した状態にある。
【００２４】
該軟包集合体は、重ね合わせ方向が上下方向であるが、その上下方向の両端面を構成している上面及び底面と二対の側面とを有する略立方体形状である。従って、軟包集合体の上面は上段の軟包体１ａの底面１１となり、軟包集合体の底面は下段の軟包体１ｃの底面１１となる。また、軟包集合体の二対の側面のうち、一方は三つの軟包体１の長辺側の側面１２が上下に並んで構成されたものであり、他方は三つの軟包体１の短辺側の側面１３が上下に並んで構成されたものである。
【００２５】
そして、軟包集合体の長辺側の一対の側面と上面の三面に結束ラベル２がコの字状に連続して貼着されている。即ち、結束ラベル２は、一定幅の帯状であって、軟包集合体の長辺側の一方の側面から上面を経由して長辺側の他方の側面まで連続的に貼着されている。
【００２６】
ここで、結束ラベル２は、ラベル基材と該ラベル基材の裏面に積層された粘着剤層とを有する。ラベル基材は、柔軟なシートであればその材質等は特には限定されず、種々の公知のものを用いることができる。ラベル基材としては、例えば、紙、不織布、合成紙、プラスチックフィルム等が挙げられ、単層構造であってもよいし、二層以上の多層構造であってもよい。特に、機械的強度に優れていて柔軟性も併せ持つことから、合成紙若しくはプラスチックフィルムの単層、又は合成紙若しくはプラスチックフィルムを含む積層体が好ましい。合成紙としては、例えば、（株）ユポ・コーポレーションの商品名「ユポ」、東洋紡績（株）の商品名「クリスパー」等を用いることができる。また、プラスチックフィルムとしては、例えばポリエチレンテレフタレートやポリ乳酸などのエステル系樹脂、ポリプロピレン等のオレフィン系樹脂、スチレン−ブタジエン共重合体等のスチレン系樹脂、環状オレフィン系樹脂、塩化ビニル系樹脂等の熱可塑性樹脂を含む延伸フィルム等を用いることができ、その中でも機械的強度に優れることから、これらの二軸延伸フィルムを用いることが好ましい。ラベル基材の厚さは特に限定されないが、合成紙又はプラスチックフィルムの単層からなる場合、例えば２５μｍ〜１２０μｍであり、好ましくは３０μｍ〜８０μｍである。
【００２７】
ラベル基材は、透明であってもよいし不透明であってもよい。合成紙は、通常乳白色の不透明であるため、ラベル基材が合成紙を含む場合には不透明なものとなる。また、プラスチックフィルムは、通常透明であるため、白色ベタ印刷や銀色ベタ印刷を透明なプラスチックに施すことによって、不透明なラベル基材とすることができる。また、プラスチックフィルムに金属蒸着膜のような不透明な層を積層することによって不透明のラベル基材としてもよい。
【００２８】
ラベル基材の表面又は裏面には必要に応じて所望の表示部（印刷層）を印刷により形成してもよい。尚、不透明なラベル基材を用いる場合にはその表面に表示部を設けることになる。不透明な結束ラベル２を軟包集合体に貼着すると、軟包体１の包装袋の表示部（デザイン）の一部が結束ラベル２によって隠れて見えなくなる場合がある。従って、不透明なラベル基材の表面に表示部を設ける場合には、隠れて見えなくなる軟包体１の表示部を補うための表示部としてもよい。更に、不透明なラベル基材の表面に表示部を設ける場合、その表示部としては、個々の軟包体１に関する情報ではなく、複数の軟包体１を一つの単位とした軟包集合体に関する内容のもの、例えば、軟包集合体の販売価格等を示すものとすることが好ましい。また、表示部としてバーコードや二次元コード等の光学的読取表示を設けてもよく、光学的読取表示を設ける場合には個々の軟包体１に設けられた光学的読取表示とは異なる内容としておくことが好ましい。
【００２９】
以上のように構成された軟包体の結束構造にあっては、上段の軟包体１ａが裏向きとされていて、全ての軟包体１の上面１０及び開封ラベル１７が隣の軟包体１と重なり合った状態にある。従って、全ての軟包体１の開封ラベル１７が外側には露出せず、隣の軟包体１によって確実に保護されることになる。そのため、保管中や輸送中、あるいは、店頭等において開封ラベル１７が不用意に剥離されるという虞がなく、外袋のない簡易包装であっても商品価値を損なうことがない。特に、開封ラベル１７が剥離されることで包装袋の一部が切離して内容物取り出し口１６が開口する構成においては、一旦開封ラベル１７が剥離されるとその商品価値がなくなってしまうものであることから、開封ラベル１７の剥離を隣の軟包体１によって確実に阻止することができることのメリットは大きい。更に、開封ラベル１７の構成が開封後に開閉蓋を有する密封部材を貼着するものである場合、開封ラベル１７が少しでも剥離されるとそこから粘着層が露出してその部分の粘着層が使用不能になって開封後において密封部材を確実に貼着することができなくなるので、開封ラベル１７の剥離を隣の軟包体１によって確実に阻止することができることのメリットは特に大きい。
【００３０】
また、結束ラベル２を上述したような軟包集合体の三面に貼着すると、軟包集合体の一対の側面に個別に結束ラベル２を貼着する構成に比して、軟包体１をしっかりと結束固定することができる。しかも、上段の軟包体１ａが裏向きとされていて軟包集合体の上面には開封ラベル１７が存在していないので、結束ラベル２を幅広のものにする必要がなく低コストで済む。即ち、仮に、軟包集合体の上面に開封ラベル１７が存在している場合においてそれを露出させないために結束ラベル２で覆ってそれを保護しようとすると、幅広の結束ラベル２が必要となる。上述したように、開封ラベル１７の長辺方向の寸法Ｂは軟包体１の包装袋の長辺方向の寸法Ａに対して少なくとも２０％以上あって、開封ラベル１７の実寸法としても長辺方向の寸法Ｂは例えば５０ｍｍ〜１５０ｍｍと大きい。従って、その開封ラベル１７の全体を結束ラベル２で覆う場合には非常に幅広の結束ラベル２が必要になる。特に、開封ラベル１７の構成が開封後に開閉蓋を有する密封部材を貼着するものである場合、開封ラベル１７が少しでも剥離されるとそこから粘着層が露出してその部分の粘着層が使用不能になって開封後において密封部材を確実に装着することができなくなるので、開封ラベル１７の全体を確実に結束ラベル２で覆う必要がある。無論、結束ラベル２の貼着位置の誤差も考慮する必要があることから、開封ラベル１７の寸法Ｂよりも更に幅広の結束ラベル２を使用しなければならない。このように開封ラベル１７を結束ラベル２によって覆って保護しようとすれば非常に幅広の開封ラベル１７が必要になって、低コストの製造が困難になる。これに対して図１のように上段の軟包体１ａを下向き（裏向き）として全ての軟包体における開封ラベル１７が露出していない構成とすれば、開封ラベル１７を結束ラベル２で保護する必要がないため、結束ラベル２の形状や貼着位置に関しての自由度が高くなり、従って例えば細い結束ラベル２を使用することによって低コストで製造することができるようになる。
【００３１】
尚、上述したように結束ラベル２の形状や貼着位置に関しての自由度が高いことから、例えば、図４のように全長のうち所定箇所に幅広部２０を有する異形の結束ラベル２を使用することも可能になる。即ち、結束ラベル２の長手方向略中央部の幅を軟包体１の長辺方向に沿って両側に拡大して全体として略矩形の幅広部２０を形成し、その幅広部２０が軟包集合体の上面に貼着されるようにすることができる。このように幅広部２０を軟包集合体の上面に貼着すると、結束ラベル２に表示部を設ける場合において特に軟包集合体の上面に位置する結束ラベル２の部分における表示面積を拡大することができると共に、上段の軟包体１ａの底面１１の背貼り部１５を結束ラベル２の幅広部２０で広く覆うこともでき、軟包集合体のパッケージデザインを向上させることができる。尚、幅広部２０の形状は上述したような略矩形に限らず略円形や略楕円形等であってもよく、その個数も複数であってもよく、幅広部２０を設ける箇所も軟包集合体の上面に対応した箇所のみならず、軟包集合体の側面に対応した箇所や上面と側面との境界等であってもよい。また、細い結束ラベル２をコの字状に設け、軟包集合体の上面に対応する結束ラベル２上に別途表示用のタックラベルを貼着して幅広部２０としてもよい。
【００３２】
尚、上記実施形態では軟包集合体の上面と一対の側面の合計三面に結束ラベル２を貼着したが、軟包集合体の底面と一対の側面に貼着するようにしてもよい。また、軟包集合体の上面と底面も含めた合計四面に結束ラベル２を貼着するようにしてもよい。このように合計四面に結束ラベル２を貼着する場合、結束ラベル２の両端は軟包集合体の上面に位置してもよいし底面に位置してもよく、また、結束ラベル２の両端同士が離間していてもよいし重なり合っていてもよい。更に、軟包集合体の一対の側面にそれぞれ所定形状（例えば略矩形）の結束ラベル２を貼着してもよい。また更に、軟包集合体の一対の側面にそれぞれ上下方向に沿って例えば帯状の結束ラベル２を貼着すると共に、結束ラベル２の上端部と下端部をそれぞれ軟包集合体の上面と底面に所定長さ回り込ませるようにしてもよい。
【符号の説明】
【００３３】
１    軟包体
１ａ  上段の軟包体
１ｂ  中段の軟包体
１ｃ  下段の軟包体
２    結束ラベル
１０    上面
１１    底面
１２    長辺側の側面
１３    短辺側の側面
１４    横シール部
１５    背貼り部
１６    内容物取り出し口
１７    開封ラベル
１７ａ  摘み部
２０    幅広部
【図１】
2015063337.tif 000003
【図２】
2015063337.tif 000004
【図３】
2015063337.tif 000005
【図４】
2015063337.tif 000006